(57)【要約】【課題】撮像装置において、ユニット毎に取り付けられて伸延する複数のプリント配線板や接続ケーブルにおいてノイズや不要輻射に対し配慮したプリント配線板や接続ケーブルの配置構造の提案を目的とする。【解決手段】上記課題を解決するために、本発明に係る撮像装置は、回動可能な表示ユニットの回動軸の内部に収納されて主基板に接続する配線に細線同軸ケーブルを用いる。細線同軸ケーブルは、光学レンズ鏡筒ユニットに保持されたイメージセンサーフレキシブルプリント配線板と平行に配置される部分をフィルムでラミネートして平板状にする。無線通信モジュールから主基板に接続するためのフレキシブルプリント配線板の伸延部はフィルムでラミネートして平板状にした細線同軸ケーブルに重ねて配置する。【選択図】図４（ｃ）
2016015661.tif 000002
【特許請求の範囲】
【請求項１】
撮像装置本体に保持されるヒンジ（１７）とヒンジ（１７）を介して回動可能に保持される表示ユニット（１９）と、表示ユニット（１９）内に保持される表示ユニット基板（２５）と撮像装置の制御のための主基板（３０）と表示ユニット基板（２５）と主基板（３０）の電気的な接続のための細線同軸ケーブル（２６）と、アンテナパターン部（３７ａ）を有し主基板（３０）と電気的に接続されている無線通信用フレキシブルプリント配線板（３７）を有する撮像装置（１０）において、
該細線同軸ケーブル（２６）は、ヒンジ（１７）の回動軸に設けられた貫通穴（１７ａ，１７ｂ）の内部に収容される束部（２６ｂ）と、束部（２６ｂ）から主基板（３０）の接続までの平板状ラミネート部（２６ｃ）が設けられ、細線同軸ケーブル（２６）の平板状ラミネート部（２６ｃ）上に無線通信用フレキシブルプリント配線板（３７）の主基板（３０）への伸延部（３７ｂ）が重なって固定され構成された撮像装置（１０）。
【請求項２】
光学レンズ鏡筒ユニット（１４）と、光学レンズ鏡筒ユニット（１４）に保持される鏡筒フレキシブルプリント配線板（３３）とイメージセンサーフレキシブルプリント配線板（３２）を有し、アンテナパターン部（３７ａ）を有し主基板（３０）と電気的に接続されている無線通信用フレキシブルプリント配線板（３７）の主基板（３０）への伸延部（３７ｂ）は、鏡筒フレキシブルプリント配線板（３３）とイメージセンサーフレキシブルプリント配線板（３２）と平行な位置関係にあることを特徴とする請求項１に記載の撮像装置（１０）。
【請求項３】
無線通信用フレキシブルプリント配線板（３７）の主基板（３０）への伸延部（３７ｂ）と細線同軸ケーブル（２６）に設けられた平板状ラミネート部（２６ｃ）の重なり部は撮像装置（１０）後面カバー２１と主板金３１の間隙に配置されていることを特徴とする請求項１又は請求項２に記載の撮像装置（１０）。
【請求項４】
アンテナパターン部（３７ａ）を有し主基板（３０）と電気的に接続されている無線通信用フレキシブルプリント配線板（３７）は側面カバー（１５）に保持され、かつ無線通信用フレキシブルプリント配線板（３７）の主基板（３０）への伸延部（３７ｂ）が側面カバー（１５）に設けられた凹部（１５ａ）とヒンジ（１７）を構成するヒンジベース（２８）の間を通っていることを特徴とする請求項１又は請求項２に記載の撮像装置（１０）。
【請求項５】
アンテナパターン部（３７ａ）を有し主基板（３０）と電気的に接続されている無線通信用フレキシブルプリント配線板（３７）は外部マイク端子接続端子（４０）が実装されていることを特徴とする請求項１又は請求項２に記載の撮像装置（１０）。
【発明の詳細な説明】
【技術分野】
【０００１】
本発明は、無線通信機能を有する電子機器、特に撮像装置の内部構造に関するものである。
【背景技術】
【０００２】
光学像を光電変換して画像データを生成し、データファイルとして記録する撮像装置がある。撮像装置においては、システムＩＣや画像処理ＩＣ、また、撮像装置を構成するユニットに組み込まれたプリント配線板やケーブルと電気的に接続される接続用コネクタが実装された主基板がある。撮像装置の小型化、薄型化に伴い、主基板は撮影者が撮影時に把持するグリップ側に配置されている。
【０００３】
撮像装置の略中央には光学レンズ鏡筒ユニットが配置される。光学レンズ鏡筒ユニットは変倍機構、自動焦点機構、防振機構など、複数の光学レンズを駆動させることで最適な光学像を得ることが可能となっている。光学レンズ鏡筒ユニットは変倍機構、自動焦点機構、防振機構を動作させるための鏡筒フレキシブルプリント配線板が一体となっている。光学レンズ鏡筒ユニットに保持された鏡筒フレキシブルプリント配線板は主基板と電気的に接続される。複数の光学レンズを通過した光学像はイメージセンサー基板に実装されたイメージセンサーによって光電変換される。イメージセンサー基板からの信号は光学レンズ鏡筒ユニットに保持されたイメージセンサーフレキシブルプリント配線板によって主基板と電気的に接続され、主基板に実装されたシステムＩＣや画像処理ＩＣにより処理される。
【０００４】
撮像装置の背面側は被写体像の確認のために表示ユニットが配置される。表示ユニットは表示面が使用時において撮影者から見やすいように回動可能に撮像装置本体に取り付けられているものがある。表示装置の信号は撮像装置本体側の主基板と電気的に接続されている。そのため、回動可能な表示ユニットにおいて、表示装置と撮像装置本体側の主基板との接続ケーブルは表示ユニットの回動軸の内部に収納されている。
【０００５】
また、撮像装置には、外部機器と通信するためのアンテナを含む無線通信モジュールを搭載したものがある。撮像装置において、無線通信モジュールの配置は、送受信特性を可能な限り良くすることを優先しなければならない。その為に無線通信モジュールは、撮影者が撮影時に把持するグリップ側では無い箇所、例えばグリップ側と反対の側面側に配置されることが好ましい。
【０００６】
撮像装置内部のユニットは機能ごとに最適に配置される。そして撮像装置内部のユニット毎に取り付けられている複数のプリント配線板や接続ケーブルは撮像装置内部において主基板に電気的に接続するための伸延部の配置場所が必要となる。
【０００７】
このような複数のフレキシブルプリント配線板や接続ケーブルの配置について特許文献１に示される構成が提案されている（特許文献１参照）。
【先行技術文献】
【特許文献】
【０００８】
【特許文献１】特開２０１３−２５１６４０号公報
【発明の概要】
【発明が解決しようとする課題】
【０００９】
しかしながら、撮像装置内部には撮像部の信号や表示装置の信号など外部からのノイズへの配慮が必要な信号を複数有している。撮像部の信号や表示装置の信号などノイズ耐性が求められる信号の配線に用いられるプリント配線板や接続ケーブルは、プリント配線板や接続ケーブルを重ねて配置することは好ましくない。さらに、プリント配線板や接続ケーブルは重ねて配置することにより不要輻射の懸念がある。また、イメージセンサーの高画素化や大型化によりイメージセンサー基板も大型化している。その為、ユニット毎に取り付けられている複数のプリント配線板や接続ケーブル、特に撮影者が撮影時に把持するグリップ側と反対の側面側に配置されるユニットから伸延する複数のプリント配線板や接続ケーブルの配置場所を十分に確保することは困難である。
【課題を解決するための手段】
【００１０】
上記課題を解決するために、本発明に係る撮像装置は、回動可能な表示ユニットの回動軸の内部に収納されて主基板に接続する配線に細線同軸ケーブルを用いる。細線同軸ケーブルは、光学レンズ鏡筒ユニットに保持されたイメージセンサーフレキシブルプリント配線板と平行に配置される部分をフィルムでラミネートして平板状にする。無線通信モジュールから主基板に接続するためのフレキシブルプリント配線板の伸延部はフィルムでラミネートして平板状にした細線同軸ケーブルに重ねて配置する。
【発明の効果】
【００１１】
本発明によれば、撮像装置の内部構造において不要輻射の懸念がなく、且つ複数のユニットから伸延し主基板に接続されるプリント配線板の配置スペースを設ける構成を提供することを可能とする。
【図面の簡単な説明】
【００１２】
【図１（ａ）】本発明の実施例としての撮像装置１０を説明する斜視図である（その１）。
【図１（ｂ）】本発明の実施例としての撮像装置１０を説明する斜視図である（その２）。
【図１（ｃ）】本発明の実施例としての撮像装置１０を説明する斜視図である（その３）。
【図１（ｄ）】本発明の実施例としての撮像装置１０を説明する斜視図である（その４）。
【図２】本発明の実施例における撮像装置１０の本体部の構成を説明する展開斜視図である。
【図３（ａ）】本発明の実施例における表示ユニット１９の構成を説明する図である（その１）。
【図３（ｂ）】本発明の実施例における表示ユニット１９の構成を説明する図である（その２）。
【図４（ａ）】本発明の実施例における各プリント配線板の関係を説明する図である（その１）。
【図４（ｂ）】本発明の実施例における各プリント配線板の関係を説明する図である（その２）。
【図４（ｃ）】本発明の実施例における各プリント配線板の関係を説明する図である（その３）。
【図４（ｄ）】本発明の実施例における各プリント配線板の関係を説明する図である（その４）。
【図５】本発明の実施例における側面カバー１５のユニット状態を説明する図である。
【図６】本発明の実施例における近距離無線通信用フレキシブルプリント配線板３７の配置の詳細を説明する図である。
【発明を実施するための形態】
【００１３】
（実施例）
以下、本発明の実施例について、図１〜図６を参照しながら詳細に説明する。図１（ａ）は本発明の実施例としての撮像装置１０の構成を説明する前面の斜視図である。図１（ａ）に示すように、撮像装置１０の正面中央には光学レンズ鏡筒ユニット１４がある。撮像装置１０は前面カバー１６、後面カバー２１、側面カバー１５などの複数の外装カバーによって撮像装置１０の本体部分を覆っている。前面カバー１６において光学レンズ鏡筒ユニット１４より左側には撮影者が撮影時に把持するグリップ１８がある。
【００１４】
図１（ｂ）は本発明の撮像装置１０の構成を説明する後面の斜視図である。撮像装置１０は上面に電源ボタン１１、レリーズボタン１２、モードダイヤル１３がある。表示ユニット１９は撮影画像の確認、被写体像の確認、各種カメラ設定の確認などを行うことが可能である。表示ユニット１９より上側には電子ビューファインダーの接眼窓２０がある。表示ユニット１９はヒンジ部１７を介し回動可能なように撮像装置１０を構成している。図１（ｂ）において表示ユニット１９は表示面が撮像装置本体側に向けられ収納された状態を示している。
【００１５】
図１（ｃ）は本発明の撮像装置１０の表示ユニット１９を回動させた状態の斜視図である。表示ユニット１９は回転軸２２に対し約１８０度回転している。その結果、表示面２３は撮影者側を向いている。図１（ｄ）は本発明の撮像装置１０の表示ユニット１９を図１（ｃ）の状態から回転軸２４に対し１８０度回動させ、さらに回転軸２２に対し回動させた状態の斜視図である。表示ユニット１９の表示面２３は撮影者側を向いて、且つ収納された状態である。このように表示ユニット１９はヒンジ１７によって２軸で回動する。
【００１６】
図２は本発明の実施例としての撮像装置１０の本体部の構成を説明する後面の展開斜視図である。光学レンズ鏡筒ユニット１４には不図示のイメージセンサーが実装されたイメージセンサーフレキシブルプリント配線板３２と鏡筒フレキシブルプリント配線板３３が保持された一体のユニット状態である。システムＩＣや画像処理ＩＣ、接続用コネクタが実装された主基板３０は電池ボックスユニット２９に保持され一体のユニットになっている。表示ユニット１９はヒンジ部１７と一体となっている。側面カバー１５には近距離無線通信用フレキシブルプリント配線板３７が保持されている。各ユニットは主板金３１に固定されて本体部を構成している。
【００１７】
図３（ａ）は表示面２３の反対側から見た表示ユニット１９の分解斜視図である。表示ユニット１９内部には表示ユニット基板２５が保持されている。表示ユニット基板２５には細線同軸ケーブル２６が接続されている。細線同軸ケーブルは、中心導体の周囲にシールドを有したケーブルであり、耐ノイズ性・屈曲性や捻れに優れたケーブルであることは公知である。
【００１８】
細線同軸ケーブル２６の表示ユニット基板２５への接続部２６ａは信号線ごとに分かれている。細線同軸ケーブル２６は回動軸２４に平行にヒンジ１７の第一の貫通穴１７ａを通過する。ヒンジ１７の貫通穴１７ａを通過した細線同軸ケーブル２６は回動軸２２に平行にヒンジ１７の第二の貫通穴１７ｂを通過する。細線同軸ケーブル２６はヒンジ１７の貫通穴１７ａ、１７ｂを通過可能なように束部２６ｂを有する。
【００１９】
図３（ｂ）は表示面２３側から見た表示ユニット１９の斜視図である。細線同軸ケーブル２６は束部２６ｂがヒンジ１７の貫通穴１７ａ、１７ｂを通過した後にラミネートして平板状になったラミネート部２６ｃを有する。ラミネート部２６ｃの先には主基板３０と接続するための接続コネクタ２７がある。表示ユニット１９はヒンジ１７を構成するヒンジベースプレート２８が撮像装置本体部に締結されることで撮像装置本体に固定されている。
【００２０】
図４（ａ）〜（ｄ）は２、および図３で説明した各プリント配線板やケーブルの関係を説明する図である。
【００２１】
図４（ａ）は各プリント配線板の配置構成を説明する後面の展開斜視図である。主基板３０は撮像装置１０のグリップ側に配置されている。イメージセンサーフレキシブルプリント配線板３２と鏡筒フレキシブルプリント配線板３３は光学レンズ鏡筒ユニット１４を構成するイメージセンサーホルダー３６に保持されている。表示ユニット基板２５に接続された細線同軸ケーブル２６はヒンジ１７の貫通穴を通過しラミネート部２６ｃが設けられている。ヒンジベースプレート２８は主板金３１にビス２８ａで締結されている。ラミネート部２６ｃは主板金３１との間に設けられた粘着部材３１ａにより固定されている。側面カバー１５には近距離無線通信用フレキシブルプリント配線板３７が保持され、主基板３０への接続のため伸延部３７ｂが設けられている。
【００２２】
図４（ｂ）は本発明の撮像装置１０における細線同軸ケーブル２６の配置を説明する後面からみた分解斜視図である。イメージセンサーフレキシブルプリント配線板３２の伸延部は接続コネクタ３４により主基板３０に接続されている。鏡筒フレキシブルプリント配線板３３も同様に伸延部が接続コネクタ３４により主基板３０に接続されている。鏡筒フレキシブルプリント配線板３３はイメージセンサーフレキシブルプリント配線板３２に投影上で重ならないよう伸延部が平行に配置されている。また、ラミネート部２６ｃも同じくイメージセンサーフレキシブルプリント配線板３２の伸延部と平行に配置されている。
【００２３】
図４（ｃ）は図４（ｂ）の状態に撮像装置１０の主たる構造体となる主板金３１を組み合わせた状態を説明する斜視図である。ヒンジベースプレート２８は主板金３１に締結されている。貫通穴１７ａ、１７ｂを通過した細線同軸ケーブル２６は平板状になったラミネート部２６ｃが主板金３１に貼り付けられている。主板金３１にはラミネート部２６ｃの貼りつけの位置精度を確保するために不図示の指標を設けている。ラミネート部２６ｃはイメージセンサーフレキシブルプリント配線板３２と鏡筒フレキシブルプリント配線板３３に重ならないよう略平行に配置されている。主基板３０と接続する接続コネクタ２７はイメージセンサーフレキシブルプリント配線板３２の接続コネクタ３４に隣接している。
【００２４】
図４（ｄ）は図４（ｃ）の状態に無線通信のためのアンテナパターンを有する近距離無線通信用フレキシブルプリント配線板３７の配置を説明する斜視図である。近距離無線通信用フレキシブルプリント配線板３７の伸延部は細線同軸ケーブル２６に設けられたラミネート部２６ｃ上に不図示の粘着テープで張り付けられて固定されている。近距離無線通信用フレキシブルプリント配線板３７の伸延部３７ｂは主基板３０に実装された接続コネクタ３８によって接続されている。接続コネクタ３８は接続コネクタ２７に対し近距離無線通信用フレキシブルプリント配線板３７の伸延方向に平行な位置関係となっている。線同軸ケーブルは、中心導体の周囲にシールドを有していることから無線通信用の信号と重なっても信号に対するノイズの影響がない。また平板状のラミネート部２６ｃにのみ重ねているため省スペースである。
【００２５】
図５は側面カバー１５のユニット状態を説明する図である。近距離無線通信用フレキシブルプリント配線板３７は側面カバー１５に保持されている。近距離無線通信用フレキシブルプリント配線板３７は伸延部３７ｂを有している。伸延部３７ｂは側面カバー１５の一部に設けられた凹部１５ａに収納されるように保持されている。近距離無線通信用フレキシブルプリント配線板３７に設けられたアンテナパターン部３７ａは撮像装置１０の外観側面部に対向する位置関係である。近距離無線通信用フレキシブルプリント配線板３７には外部マイク接続端子４０が実装されている。外部マイク接続信号も無線通信の信号と同様にノイズに対し配慮する必要がある。
【００２６】
図６は近距離無線通信用フレキシブルプリント配線板３７の配置の詳細を説明する図である。側面カバー１５の一部はヒンジベース２８を覆うように構成されている。側面カバー１５のヒンジベース２８を覆う部分には凹部１５ａがある。凹部１５ａは貫通穴１７ａ、つまり回動軸２４の直下に配置されている近距離無線通信用フレキシブルプリント配線板３７は側面カバー１５に保持され、且つ主基板３０への伸延部が凹部１５ａとヒンジベース２８の間を通っている。ここで、回動軸２４とヒンジベース２８の間隙は図１（ｃ）、図１（ｄ）に示される回動軸２２と回動軸２４に対する回動に必要な間隙である。また、図３（ａ）に示されるように、細線同軸ケーブル２６の束部２６ｂは回転軸２２の延長方向に引き出し部がある。その結果、近距離無線通信用フレキシブルプリント配線板３７の伸延部が凹部１５ａとヒンジベース２８の間隙に配置することは省スペースとなる。
【００２７】
本実施例において、近距離無線通信用フレキシブルプリント配線板３７は撮像装置１０のグリップ部１８と反対側の側面カバー１５に保持されて配置されていたが、例えば他の前面カバー１６、後面カバー２１に保持され底面などに配置されても良い。
【００２８】
以上説明したように、本実施例によれば、表示ユニット基板２５から主基板３０への電気的な接続のために中心導体の周囲にシールドを有している細線同軸ケーブル２６を用いる。細線同軸ケーブル２６に平板状にラミネートされたラミネート部２６ｃを設けて近距離無線通信用フレキシブルプリント配線板３７は、主基板３０までの伸延部３７ｂをラミネート部２６ｃに重ねて配置する。その結果、近距離無線通信用フレキシブルプリント配線板３７は、イメージセンサーフレキシブルプリント配線板３２と鏡筒フレキシブルプリント配線板３３に重ならないよう略平行に配置され省スペースであり且つ不要輻射の懸念がなく配置することが可能となるまた本実施例では近距離無線通信用のアンテナパターンを有したフレキシブルプリント配線板としたが、他の方式の無線通信用プリント配線板でも構わない。
【符号の説明】
【００２９】
１０  撮像装置、１５  側面カバー、１７  ヒンジ、１９  表示ユニット、
２６  細線同軸ケーブル、２６ｃ  ラミネート部、２８  ヒンジベース、
３０  主基板、３２  イメージセンサーフレキシブルプリント配線板、
３３  鏡筒フレキシブルプリント配線板、
３７  近距離無線通信用フレキシブルプリント配線板、
３７ａ  アンテナパターン部
【図１（ａ）】
2016015661.tif 000003
【図１（ｂ）】
2016015661.tif 000004
【図１（ｃ）】
2016015661.tif 000005
【図１（ｄ）】
2016015661.tif 000006
【図２】
2016015661.tif 000007
【図３（ａ）】
2016015661.tif 000008
【図３（ｂ）】
2016015661.tif 000009
【図４（ａ）】
2016015661.tif 000010
【図４（ｂ）】
2016015661.tif 000011
【図４（ｃ）】
2016015661.tif 000012
【図４（ｄ）】
2016015661.tif 000013
【図５】
2016015661.tif 000014
【図６】
2016015661.tif 000015